(57)【要約】  一対の分岐した上方部分を有するヨーク部分と、各自がヨークの分岐した上方部分の各自に付随する一対の前腕案内部分と、そして前腕案内部分を拡開した状態に付勢する付勢手段とを含み、それによりユーザーの前腕の間に最適な間隔を維持するために付勢力に抗して前腕案内部分に対してユーザーの前腕が力を加える、ゴルフ補助具。
2012520689.tif 000002
【特許請求の範囲】
【請求項１】
一対の分岐した上方部分を有するヨーク部分と、各自がヨークの分岐した上方部分の各自に付随する一対の前腕案内部分と、そして前腕案内部分を拡開した状態に付勢する付勢手段とを含み、それによりユーザーの前腕の間に最適な間隔を維持するために付勢力に抗して前腕案内部分に対してユーザーの前腕が力を加える、ゴルフ補助具。
【請求項２】
ヨークに付随した練習用クラブをさらに含み、練習用クラブはシャフトと重みを持たしたヘッドを持っている、請求項１のゴルフ補助具。
【請求項３】
練習用クラブのシャフトは長さが通常のクラブの約半分から３／４の間である請求項２のゴルフ補助具。
【請求項４】
重みを持たせたヘッドは可視指示手段を含んでいる請求項２または３のゴルフ補助具。
【請求項５】
練習用クラブのシャフトは練習用クラブのシャフトの下端に設けたピボットを含んでいる請求項２または３のゴルフ補助具。
【請求項６】
重みを持たせたヘッドからシャフトの短い部分が延び、そしてピボットにおいてシャフトの残部へ取り付けられている請求項５のゴルフ補助具。
【請求項７】
練習用クラブの重みを持たせたヘッドは、クラブをスウィングする時空気抵抗を増加させる形状を有している請求項２ないし６のいずれかのゴルフ補助具。
【請求項８】
各自がヨークに分岐した上方部分の各自に付随した一対の細長い前腕案内部分を含んでいる請求項１ないし７のいずれかのゴルフ補助具。
【請求項９】
圧縮に対する抵抗の程度が調節可能である請求項１ないし８のいずれかのゴルフ補助具。
【請求項１０】
付勢力はヨークを異なる材料および／または異なる厚みを有するヨークで交換することによって調節することができる請求項1ないし９のいずれかのゴルフ補助具。
【請求項１１】
コネクターアセンブリがヨークと練習用クラブの間の取り外し自在の接続を許容する請求項２ないし１０のいずれかのゴルフ補助具。
【請求項１２】
ヨーク部分は弾力性のＶ字形緊張ヨークであり、そして弾力性手段は弾力性Ｖ字形緊張ヨークの圧縮に対する抵抗度である請求項１ないし１１のいずれかのゴルフ補助具。
【請求項１３】
ヨークと練習用クラブの間の取り外し自在の接続を提供する磁気デバイスに付随した蝶番を含んでいるコネクターアセンブリを備える請求項１２のゴルフ補助具。
【請求項１４】
蝶番は緊張クリップによって所定位置に取り外し自在に保持され、緊張クリップはヨークの圧縮が緊張クリップを動かし、蝶番を取り外し、磁力デバイスが蝶番のまわりで回転することを許容する請求項１３のゴルフ補助具。
【請求項１５】
ヨーク部分は垂直部分を有する可撓性Ｖ字形ヨークであり、弾力性手段は弾力性離間アセンブリである請求項１ないし１４のいずれかのゴルフ補助具。
【請求項１６】
ヨークは他の要素をその中に受入れるため弾力性で中空である請求項１５のゴルフ補助具。
【請求項１７】
前腕案内部分はヨークの分岐した上方部分中の開口に配置される請求項１６のゴルフ補助具。
【請求項１８】
ヨークの垂直部分は練習用クラブまたは通常のゴルフクラブのどちらかを受入れるのに適合している請求項１５ないし１７のいずれかのゴルフ補助具。
【請求項１９】
案内部分は干渉嵌合でヨークのそれぞれの上方部分中の開口に嵌合する寸法とされている請求項１７のゴルフ補助具。
【請求項２０】
弾力性離間アセンブリが前腕案内部分を最大分離に付勢するが、しかし付勢力に抗して圧縮可能である請求項１５ないし１９のいずれかのゴルフ補助具。
【請求項２１】
弾力性離間アセンブリは少なくとも四部品、すなわち本体と、本体内に少なくとも部分的に入れ子式に受入れられるプランジャーと、本体とプランジャーを延びた状態に付勢する付勢手段と、そして弾力性離間アセンブリの有効長を調節する調節手段を含んでいる請求項１５ないし２０のいずれかのゴルフ補助具。
【請求項２２】
離間アセンブリの本体は前腕案内部分の一方に取り付けまたは固着され、プランジャーは前腕案内部分の他方に取り付けまたは固着されている請求項２１のゴルフ補助具。
【請求項２３】
付勢手段は本体の中空部分内に、そして本体またはその一部に対して突張らせ、そして二つの部品を遠方へ付勢するようにプランジャーに作用するようにプランジャーの末端に隣接して少なくとも部分的に収容されたばねである請求項２１または２２のゴルフ補助具。
【請求項２４】
ばねは本体の内側に配置された中空ハウジング部分内に配置され、外部に設けられたノブの回転がハウジングをプランジャーへ向ってまたは反対に動かし、本体とプランジャーの有効長を変える請求項２３のゴルフ補助具。
【請求項２５】
請求項１ないし２４のいずれかのゴルフ補助具と、ユーザーのスウィングの経路を目視で追跡する、ゴルフ補助具と共に使用する練習用マットを含んでいるゴルフ補助システム。
【請求項２６】
練習用マットは、スウィングの経路を可視ガイドと比較できるように、一以上の可視ガイドを有する請求項２５のゴルフ補助システム。
【請求項２７】
少なくとも一つの可視ガイドの位置が練習用マットの上で調節可能である請求項２６のゴルフ補助システム。
【請求項２８】
添付図面を参照してここに記載したゴルフ補助具。
【発明の詳細な説明】
【技術分野】
【０００１】
本発明は、一般的にはゴルフスウィング補助具に、特にユーザーが彼等の前腕の間の最適な角度を獲得し、そして継続するトレーニングを助けるスウィング補助具に関する。
【背景技術】
【０００２】
ユーザーにより良いスウィングを提供することを目指した多数のゴルフ補助具が市場に存在する。これらはスウィングの間正しい手首角度を維持または助長することを目指した種々のゴルフ補助具と、そしてスウィングにおいて一層スムースなそして一層均等なテンポを創出することを目指した多数の補助具を含んでいる。スウィングの間正しい手首角度を維持または助長することを目指したゴルフ補助具の多くは、スウィングの間手首に接触するデバイスまたは部品を持っている。この理由だけでそれらは一般に手首の自由な運動と衝突し、それによって一層人工的なそしてそれ故より少数回しか反復できないスウィングを産み出す。
【０００３】
これら補助具のいくつかは屋内で使用するのに適応しているが、しかし典型的にはクラブを使用しない。
【０００４】
本発明者は、驚くべきことに、スウィングの間ゴルファーが彼等の前腕の間の角度をコントロールするならば、平面およびテンポを含むスウィングメカニックが大きく改善されることを見出した。
【０００５】
ここで先行技術発表が引用されるならば、この引用は該発表がオーストラリアまたは他の国においてこの分野における共通の一般的知識の一部を形成することの自認を構成しないことが明瞭に理解されるであろう。
【発明の開示】
【０００６】
本発明は、前述の欠点の少なくとも一つを少なくとも部分的に克服することができるか、また消費者に有用または商業的選択を提供するクランプに関する。
【０００７】
上記に鑑み、一形態において本発明は、分岐した上方部分を有する弾力性のＶ字形緊張ヨークと、各自分岐する上方部分の各々に付随する一対の前腕案内部分を含み、該案内部分は弾力性Ｖ字形緊張ヨークによって拡開された状態に付勢され、それによってユーザーに前腕がユーザーの前腕の間の最適な間隔を維持するために付勢力に抗して前腕案内部分へ力を加えるゴルフ補助具に存する。
【０００８】
他の具体例において、該ゴルフ補助具は、垂下部分と一対の分岐した上方部分を有する可撓性Ｙ字形ヨーク部分と、各自分岐した上方部分の各々に付随する一対の前腕案内部分と、そして前腕案内部分の間に位置しそして拡開された状態に付勢された弾力性スペーシングアセブリを含み、それによってユーザーの前腕がユーザーの前腕の間の最適な間隔を維持するために付勢力に抗して前腕案内部分へ力をくわえる。
【０００９】
本発明のゴルフ補助具は、典型的にはユーザーの前腕をアドレスと、そしてバックスウィングとダウンスウィングを通して正しい位置に維持することを助けるであろう。
【００１０】
典型的には、本発明のゴルフ補助具はゲームプレイの間よりも練習の間に使用されるであろう。
【００１１】
本発明のゴルフ補助具は、ユーザー自身のクラブと、またはこのゴルフ補助具と共に使用するために特別に設計された練習用クラブと共に使用することができる。どちらの場合でも、クラブは典型的には細長いシャフトとヘッド部分を含むであろう。
【００１２】
提供される場合、練習用クラブは典型的には中実のしかし可撓性材料製のシャフトを含むであろう。練習用シャフトは鋼、グラファイト、複合もしくは新材料から製造することができる。練習用クラブは重みを持たせることができる。好ましくは練習用クラブは、練習用クラブおよびゴルフ補助具を屋内で使用できるように通常より短いであろう。特に好ましくは具体例によれば、練習用クラブのシャフトは通常のシャフトの長さの約半分から３／４の間であろう。
【００１３】
通常シャフトはコネクターアセンブリを介してゴルフ補助具のヨークへ取り付けられるであろう。コネクターアセンブリはどんなタイプでもよいが、しかしコネクターアセンブリが練習用クラブの容易な握りを許容するのが好ましい。他の具体例においては、コネクターアセンブリはシャフトをゴルフ補助具へ接続することと、そして握り部分を提供する二重の目的を持つことができる。代って、コネクターアセンブリは、ゴルフ補助具へ接続した時、クラブの握り部分をなお使用できるようなものとすることができる。
【００１４】
好ましくはコネクターアセンブリは、磁気取り付けアセンブリを含み、ゴルフ補助具または練習用クラブのいずれかに備えられ、他方に磁気的に影響される金属と係合する磁石を有する。
【００１５】
好ましくは、磁気取り付けアセンブリが蝶番と、ヨークへ取り付け磁気ハウジングよりなる蝶番磁気クリップを含む。蝶番は好ましくは前腕案内部分の一つによって作動化される緊張クリップによって保持され、そして解除される。磁気クリップはクラブの握り部分へ固着できる磁石へ取り付けられる。磁気クリップの利点は、このデバイスのクラブの速やかな容易な着脱を許容できることである。
【００１６】
他の具体例においては、コネクターアセンブリはシャフトの一部分と、ゴルフ補助具のヨークの垂下部分の一部分を受入れるカラーアセンブリまたは部分を含んでいる。
【００１７】
コネクターアセンブリは、好ましくはヨークがクラブを取り付けた時でさえも曲がることを許容するであろう。コネクターアセンブリはクラブの取り外し自在な接続を許容するであろう。磁気クリップやボールジョイント等を使用することができる。
【００１８】
好ましくは具体例においては、弾力性Ｖ字形緊張ヨークの圧縮は緊張クリップを動かし、コネクターアセンブリ中の磁気ハウジングの蝶番を解除する。この利点は、クラブと前腕案内部分の当初の位置が確立されれば、蝶番がスウィングの間解除されそして自由に動き、もっと自然なスウィングモーションを許容することである。
【００１９】
好ましい具体例においては、練習用クラブのシャフトの下端に、またはそれに向ってヘッドを備えることができる。このヘッドは好ましくは重みを持たされるであろう。重みを持たせたヘッドの提供は、本物のクラブの力を真似するスウィングの間遠心力を増加させる。
【００２０】
練習用クラブのヘッドは、小さい電池で電力供給される光源、ＬＥＤまたはレーザーのような可視指示手段を含むことができ、そのため、クラブの軌跡、そのためゴルファーのスウィング軌跡をスウィングの間目視的に追跡することができる。これはユーザーにスウィング軌跡の可視指示を提供し、そしてユーザーによる一層正確なスウィングの習得を助ける。
【００２１】
他の具体例において、練習用クラブの下端にピボットを備えることができる。クラブ、特にヘッド部分の破壊を許容するための旋回部分としてクラブのヘッドの提供は、もし正しいスウィングテンポが使用されなければ、正しいスウィングを助長する一つのメカニズムである。この構造の提供はユーザーのゴルフクラブのタイミングと解放を増強する。
【００２２】
典型的には練習用クラブのヘッドは、シャフトの短い部分をヘッドから延ばしてシャフトの残部へ取り付けられ、そしてシャフトの残部へピボットのところで取り付けられるであろう。
【００２３】
練習用クラブのヘッドは好ましくは中実の金属またはプラスチック材料から造られ、通常重くされるであろう。
【００２４】
練習用クラブのヘッドは、クラブが振られる時空気抵抗を増す形状または特徴を持つことが見込まれる。これは例えばベントもしくは開口の使用によって達成することができる。代ってスウィングした時ユーザーの体から遠くへクラブを引く力を発生させるため、翼形部分のような成形した部分を備えることができる。
【００２５】
練習用クラブのヘッドは大きくても良いが、しかし好ましくは特に屋内使用のための便利のため小形であろう。
【００２６】
本発明のゴルフ補助具は、弾力性のＶ字形緊張ヨークと、一対の分岐した上方部分を含むことができる。ヨークは通常弾力性で、そして好ましくは一定の弾力性を有するアルミニウムまたは同様な材料から製作される。
【００２７】
緊張ヨークは、弾力性の正しい量を提供するために通常中実であろう。
【００２８】
通常前腕案内部分は分岐した上方部分に配置される。
【００２９】
前腕案内部分の各自は典型的には剛直でそして強い。これらは通常硬化したプラスチックまたは金属から製作される。
【００３０】
前腕案内部分の長さは通常１０ｃｍと３０ｃｍの間であろう。
【００３１】
他の具体例において、ゴルフ補助具は、垂下部分を有する可撓性のＹ字形ヨーク部分と、そして一対の分岐した上方部分を含んでいる。ヨークは通常弾力性であり、そして好ましくはゴムまたは似た弾力性材料から製作される。
【００３２】
ヨークは、ゴルフ補助具またはクラブの他のエレメントを受入れるために通常中空であろう。
【００３３】
ヨークは増加したグリップを提供するため模様を付けても付けなくてもよい。
【００３４】
通常、前腕案内部分は分岐した上方部分の開口中に配置される。前腕案内部分とヨークとの間の取り付け固着力を増すため取り付けまたは固着アセンブリを使用することができる。同様にヨークの垂下部分は、典型的にはゴルフクラブの一部分、通常練習クラブまたは通常のゴルフクラブのシャフト部分を受入れるのに適応しているであろう。
【００３５】
使用において、ヨークは通常正しいアドレス位置にあるユーザーの手首および／または肘の間に位置するであろう。
【００３６】
他の具体例において、ゴルフ補助具はヨークの分岐した上方部分の各自に付随した一対の前腕案内部分を含んでいる。前腕案内部分の各自は支柱と呼ぶこともできる。
【００３７】
支柱の各自は典型的には剛直で強いであろう。それらは通常プラスチックまたは金属から製作され、そして中実でもチューブ状でも良い。比較的軽量とするためチューブ状構造が好ましい。
【００３８】
前腕案内部分または支柱は、通常長さが１０ｃｍと３０ｃｍの間であろう。案内部分はヨークのそれぞれの上部部分の開口内にフィットするような寸法にされる。
【００３９】
前腕案内部分または支柱はそれ自体パッドを有しているか、または各自クッション部材と組合わされているであろう。好ましくは、どのようなパッドまたはクッションも前腕案内部分の全長を覆うであろう。通常クッション部材またはパッドはユーザーの前腕に快適に接触するように成形されるであろう。好ましい形によれば、クッション部材またはパッドは、ユーザーの腕を受入れるためその全長にわたって断面が円弧形であろう。円弧状凹断面形が好ましい。
【００４０】
クッション部材は、好ましくは前腕案内部分に一体に形成されるよりもむしろそれへ載置されるであろう。好ましくは、クッション部材は支柱の端部を覆うため支柱よりも長いであろう。
【００４１】
クッション部材またはパッドは長さが調節自在とすることができる。
【００４２】
クッション部材は、異なるサイズ、身長および年令のユーザーによってゴルフ補助具が使用できるように、異なるサイズのクッション部材を交換することができる。
【００４３】
クッション部材またはパッドは交換およびクリーニングを許容するため容易に除去することができる。
【００４４】
本発明のゴルフ補助具においては、弾力性Ｖ字形緊張ヨークは拡開状態に付勢されており、それによりユーザーの前腕の間に最適に間隔を維持するためにユーザーの前腕が付勢力に抗して前腕案内部分へ力を加える。
【００４５】
圧縮に対する抵抗の程度は、異なる材料および／または異なる厚みのヨークに取替えることによって調節することもできる。
【００４６】
最大角度は圧縮なしの弾力性Ｖ字形緊張ヨークによってセットされるであろう。
【００４７】
前腕案内部分間の最小角度は圧縮に対する抵抗の増加によって定まるであろう。
【００４８】
調節自在な圧縮に対する抵抗度を持つことの利点は、最適スウィングのためユーザーの前腕の角度を微調節できることである。
【００４９】
一具体例において、圧縮に対する抵抗度は、蝶番と弾力性Ｖ字形緊張ヨークの間のきつさを調節することによっても調節することができる。
【００５０】
他の具体例において、圧縮に対する抵抗度は、二部材弾力性Ｖ字形緊張ヨークを使用し、そして弾力性Ｖ字形緊張ヨークの二部材の間の運動に対する抵抗を調節することによって調節することができる。さらなる具体例において、ゴルフ補助具は前腕案内部分の間に配置され、そして拡開した状態に付勢された弾力性離間アセンブリを含むことができ、それによってユーザーの前腕がユーザーの前腕の間の最適な間隔を維持するため付勢力に抗して前腕案内部分へ力を加える。
【００５１】
そのため弾力性離間アセンブリは、拡開状態と、最小角度の間の弾性運動を許容しながら前腕案内部分間の最小角度をセットする二つの特徴の提供に向けられている。
【００５２】
典型的には最小角度は弾力性離間アセンブリによってセットされるであろう。最大角度もセットすることができる。典型的には、前腕部分は付勢手段と離間アセンブリの使用によって最大離間に付勢される。
【００５３】
最小および／または最大角度のセッティングに加え、圧縮に対する抵抗度も調節することができる。
【００５４】
この具体例において、弾力性離間アセンブリは四部品、すなわち本体と、本体内に少なくとも部分的に入れ子式に収容されるプランジャーと、本体とプランジャーとを拡開した状態に付勢するための付勢手段と、そして弾力性離間アセンブリのパラメータを調節するための調節手段を含むであろう。典型的には、調節手段は前腕案内部分の最小離間角度を調節するであろう。
【００５５】
弾力性離間アセンブリは、通常前腕案内部分の間に延びて配置されるであろう。好ましくは離間アセンブリの本体は前腕案内部分の一方に取り付けまたは固着され、プランジャーは前腕案内部分の他方へ取り付けまたは固着されるであろう。
【００５６】
典型的には、付勢手段は本体の中空部分内に少なくとも部分的に収容され、そして本体またはその一部に対して突っ張られ、そして二つの部品を遠方へ付勢するようにプランジャーに作用するためにプランジャーの端部に隣接するばねであろう。
【００５７】
本体および／またはプランジャーは、本体とプランジャーの組合わせの有効長の調節を許容するためねじつきであることができる。ねじの他の構造も可能であり、例えば本体とプランジャーの両方がねじを持ち、他方に対する一方の回転有効長を変えることができるようにしてもよい。しかしながら好ましくは、ばねは本体の内側に所在する中空のハウジング部分内に配置され、そして外側に設けられたノブまたは類似物の回転が好ましくはハウジングをプランジャーに向ってまたはその反対に動かし、このため本体とプランジャーの有効長を変化させ、それによって前腕案内部間の角度を変えるであろう。
【００５８】
使用において、ユーザーは典型的には練習用であれ実際のものであれ、クラブ上の正しいグリップを取りながら、彼等の前腕の内側部分に対してアームガイドを配置するであろう。ユーザーは次にゴルフボールにアドレスする。通常テイクアウトとして知られるスウィングの開始前に、ユーザーは弾力性離間アセンブリの付勢力に抗して彼等の前腕を絞るであろう。この運動はスウィングを開始する引き金として使用することができる。次にユーザーは、バックスウィングおよびダウンスウィングの間前腕案内部分への圧力を維持することによって正しい前腕間隔または角度を維持するためにこのゴルフ補助具を使用する。
【００５９】
本発明のゴルフ補助具は、スウィングの間ユーザーのどちらの手首に対しても係合または衝突するゴルフ補助具の部品がないため、ゴルフスウィングの間正しい手首の曲げを許容するために特に適応している。
【００６０】
好ましくは、一以上の可視ガイドを有する人工芝のような材料のセクションからなる練習用マットがこのゴルフ補助具と共に使用され、その結果スウィングの可視化軌跡を可視ガイドと容易に比較することができる。
【００６１】
好ましくは具体例において、練習用マットは一つの固定した可視ガイドと、そして少なくとも一つの調節自在の可視ガイドとを含んでいる。調節自在な可視ガイドは、フック・アンド・ループファスナー、固定テープ、磁石、おもり、または他の方法によって練習用マットの所定位置に保つことができる。調節自在な可視ガイドを持つ利益は、スウィングの軌跡が目視ガイドによって規定された調節可能な区域内でスウィングの可視軌跡を追跡することによって調節することができることである。
【００６２】
通常可視ガイドは互い実質上平行であり、そして正しくスウィングしたクラブが通過するであろう通路を区画するであろう。可視ガイドは、典型的には練習用マットに除去自在に取り付けできるテープまたは類似の平坦部材であろう。
【００６３】
他の具体例においては、練習用マットは比較または記録のため、デバイスを使用してコンピュータ等にスウィング軌跡を入力することを許容する電子的手段を備えることができる。
【００６４】
本発明のゴルフ補助具のいくつかの利点は以下のものを含む。
１．全体のゴルフスウィングメカニズムの改善；
２．例えばどんなユーザーの家または事務所を含む屋内で練習することの可能性；
３．スウィングの間肘および腕を正しい位置に維持；
４．ウォームアップ用具として使用；
５．１個のゴルフ補助具を異なるサイズ、身長および年令のユーザーが使用することができる；
６．スムースな、良いタイミングのゴルフスウィングの創出を助ける；
７．スウィングの改善された目視追跡；および
８．一層正確なスウィング
【図面の簡単な説明】
【００６５】
本発明の種々の具体例が以下の図面を参照して記載されるであろう。
【図１】本発明の好ましい具体例に従った練習用クラブとゴルフ補助具の正面図である。
【図２】図１に示した練習用クラブとゴルフ補助具の分解正面図である。
【図３】緊張クリップによって保持された磁石ハウジングを有する最大角度にあるゴルフ補助具の正面図である。
【図４】緊張クリップによって解除され、そして上方へ転じた磁気ハウジングを有する最小角度にあるゴルフ補助具の正面図である。
【図５】調節し得る可視ガイドを有する練習用芝生の図である。
【図６】ユーザー腕がアドレス位置にある使用時のゴルフ補助具のクローズアップ図である。
【図７】本発明の好ましい具体例のゴルフ補助具を使用するアドレス位置にある腕を示したユーザーの正面図である。
【図８】ユーザーのバックスウィングにおける、好ましい具体例のゴルフ補助具の使用を示すユーザーの正面図である。
【図９】バックスウィングの約３／４の点における、好ましい具体例のゴルフ補助具の使用を示すユーザーの正面図である。
【図１０】練習用芝生上の可視ガイド間のスウィングの経路を可視的にディスプレーするゴルフ補助具の光源を備えた、本発明の好ましい具体例のゴルフ補助具を使用するアドレス位置にあるユーザーの腕の正面図である。
【図１１】スウィングの経路を可視的にディスプレーするゴルフ補助具の光源を備えた、ユーザーのバックスウィングにおける好ましい具体例のゴルフ補助具の使用を示したユーザーの正面図である。
【図１２】スウィングの経路を可視的にディスプレーする、バックスウィングの約３／４の点における好ましい具体例のゴルフ補助具の使用を示したユーザーの正面図である。
【図１３】緊張クリップによって保持され、そして緊張クリップによって解除され、回転自由の磁気ハウジングを備えた好ましい具体例のゴルフ補助具の側面図である。
【図１４】拡開位置にある本発明の代替具体例に従ってゴルフ補助具の正面図である。
【図１５】図１４に示した、しかし圧縮された位置にあるゴルフ補助具の正面図である。
【図１６】本発明の代替具体例に従った練習用クラブを備えるゴルフ補助具の正面図である。
【図１７】図１６に示したゴルフ補助具および練習用クラブの分解図である。
【図１８】調節アセンブリをハイライトした図１４および１５に示したゴルフ補助具の正面図である。
【図１９】図１８に示した調節アセンブリの詳細図である。
【図２０】ユーザーの腕がアドレス位置にある使用時のゴルフ補助具のクローズアップ図である。
【図２１】本発明の代替具体例のゴルフ補助具を使用する、腕がアドレス位置にあるユーザーの正面図である。
【図２２】ユーザーのバックスウィングにおける、代替具体例のゴルフ補助具の使用を示すユーザーの正面図である。
【図２３】バックスウィングの約３／４の点における、代替具体例のゴルフ補助具の使用を示すユーザーの正面図である。
【発明を実施するための最良の実施形態】
【００６６】
図１ないし１３に示した好ましい一具体例において、ゴルフ補助具１が提供される。
【００６７】
図面、特に図１ないし４に示されるように、ゴルフ補助具１は分岐した上方部分を有する弾力性Ｖ字形緊張ヨーク３と、各自緊張ヨーク３の分岐した上方部分の各自に付随した一対の前腕案内部分２を含み、前腕案内部分２は弾力性Ｖ字形緊張ヨーク３によって拡開状態に付勢され、それによってユーザーの前腕の間の最適の間隔を維持するために、ユーザーの前腕が付勢力に抗して前腕案内部分２に対して力を加える。前腕案内部分２は、剛直部分２ａとパット部分２ｂよりなる。パット部分２ｂはユーザーの前腕に快適に接触する。蝶番４と、磁気ハウジング６よりなる蝶番磁気クリップを含んでいるコネクターアセンブリは、前腕案内部分２の一つによって作動化される緊張クリップ５によって保持され、解除される。蝶番４は蝶番セクション４ｂと、そして蝶番セクション４ｂをＶ字形緊張ヨーク３へ接続するための固定セクション４ａを含んでいる。磁気クリップ６は練習用クラブ９またはユーザー自身のクラブ（図示せず）の握り部分８へ固着することができる磁石７へ取り付ける。
本発明のゴルフ補助具１はユーザー自身のクラブ（図示せず）か、１，２および６ないし１２に示したこのゴルフ補助具と共に使用するため特別に設計された練習用クラブ９と共に使用することができる。
図１および２の練習用クラブ９は、ハンドルまたはグリップとも呼ばれる握り部分８と、鋼、グラファイトまたは複合もしくは新材料のような既存のシャフト材料から製作されたシャフトと、そして重みをつけたヘッド１２を含んでいる。重みを付けたヘッド１２は可視指示手段１５と、可視指示手段のためのハウジング１４、可視指示手段１５のためのバッテリー１３、ｏ−リングみぞ１１、そしてピン（図示せず）がヘッド１２をシャフト９ａへ接続することを可能にするピン配置ホール１０を含んでいる。
【００６８】
図示した具体例の練習用クラブ９は、練習用クラブ９とゴルフ補助具１を屋内で使用することを許容するように、長さが通常のクラブの約半分から３／４の間である。
【００６９】
クラブと前腕案内部分の初期位置が確立されれば、スウィングの間一層自然なスウィングモーションを許容するため磁気クリップ６を解除し、蝶番４を介して回転することができる。
【００７０】
図３に示したゴルフ補助具１は圧縮されない状態にあり、この状態において弾力性V字形ヨーク３へ取り付けられた緊張クリップ５は磁気クリップ６上の保持手段５ｂと係合し、蝶番４を介して弾力性V字形緊張ヨーク３に対する磁気クリップ６の回転を防止する。
【００７１】
図４に示したゴルフ補助具１は圧縮された状態にあり、この状態において、V字形緊張ヨークの圧縮は緊張クリップ５が保持手段５ｂ（図４には示されていない）から外れるように動かし、蝶番４を介して弾力性Ｖ字形緊張ヨーク３に対する磁気クリップの回転を可能にする。図４には磁気クリップが外され、回転した位置で示されている。
【００７２】
本発明のゴルフ補助具は、スウィングの可視化経路の追跡を助けるため練習用マット１６と共に使用することができる。
【００７３】
図５Ａに示すように、練習用マット１６は固定化された可視ガイド１７とそして調節可能な可視ガイド１９を含み、調節可能な可視ガイド１９は図１５Ｂに示した固定手段１８において所定位置に保持することができる。
【００７４】
本発明のゴルフ補助具はスウィングの開始を助けるために使用することができる。
【００７５】
典型的には、図示した具体例のゴルフ補助具１はゲームプレー中ではなく練習の間に使用され、この態様におけるゴルフ補助具１の使用が図６ないし１２に示されている。
【００７６】
使用において、ユーザーは練習用であれ本物であれクラブを正しく握ったまま、右および左の前腕６１，６２の内側部分に対して前腕案内部分２を配置する。これは図６に示されているように、ゴルフ補助具１を前腕間に、そして磁気ハウジング６を大体ユーザーの手首の間に配置する。次にユーザーは図７に示すようにスウィングを開始することができる。通常テイクアウェイとして知られるスウィングの開始前に、ユーザーは典型的には弾力性Ｖ字形緊張ヨーク３の付勢力に抗して彼等の前腕を一緒に絞るであろう。ユーザーは次にバックスウィングおよびダウンスウィングの間前腕案内部分２上の圧力を維持するようにゴルフ補助具１を使用することができる。
【００７７】
本発明のゴルフ補助具は、ゴルフ補助具のどの部品もスウィングの間ユーザーのどちらの手首に対しても係合または衝突しないので、特に図９に示したように、ゴルフスウィングの間正しい手首の曲げを許容するのに特に適している。
【００７８】
図１０ないし１２は、スウィングの可視化経路の追跡を助けるため練習用マット１６と共に使用する本発明のゴルフ補助具の使用を図示し、光２０の練習用マット１６上への投射は可視指示２１を創出し、固定可視ガイド１７および調節可能な可視ガイド１８に対するスウィングの経路を可視的にディスプレーする。
【００７９】
図１３Ａ，１３Ｂおよび１３Ｃは、本発明のゴルフ補助具１の側面図である。図１３Ａおよび１３Ｂは、磁気クリップ６上の保持手段５ｂ（図示せず）と係合した緊張クリップ５を示し、これは蝶番４を介して磁気クリップ６の回転を防止する。図１３ｃは保持手段５ｂ（図示せず）から外れた緊張クリップを示し、これは蝶番４を介して磁気クリップ６の回転を可能にする。
【００８０】
図１４ないし２３に示した第２の好ましい具体例において、ゴルフ補助具４０が提供される。
【００８１】
図面特に図１４ないし１７に示されているように、ゴルフ補助具４０は、垂直部分４２と一対の分岐した上方部分４３を有する可撓性Ｙ字形ヨーク４１と、各自ヨーク４１の分岐した上方部分４３の各自に付随した一対の前腕案内部分４４と、そして前腕案内部分４４の間に位置し、拡開した状態に付勢された弾力性離間アセンブリ４５を含み、それによりスウィングの間ユーザーの前腕の間に最適な間隔を維持するため、離間アセンブリ４５の付勢力に抗して前腕案内部分４４にユーザーの前腕が力を加える。
【００８２】
本発明のゴルフ補助具はスウィングの開始を助けるために使用することもできる。
【００８３】
典型的には、図示した具体例のゴルフ補助具のゴルフ補助具４０は、ゲームプレー中ではなく練習の間に使用され、そしてこの態様でのゴルフ補助具の使用は図２０ないし２３に示されている。
【００８４】
本発明のゴルフ補助具４０はユーザー自身のクラブ（図２１ないし２３に示されている）か、または図１６および１７に示されている、このゴルフ補助具と共に使用のため特別に設計された練習用クラブと共に使用することができる。
【００８５】
図１６および１７に示したクラブは、鋼、グラファイト、または複合もしくは新材料のような既存のシャフト材料から製作されたシャフト４６を含む。
【００８６】
図示した具体例の練習用クラブシャフトは、練習用クラブとゴルフ補助具を屋内で使用することを許容するため長さが通常のシャフトの約半分から３／４の間である。
【００８７】
図示するように、シャフト４６はコネクターアセンブリを介してゴルフ補助具４０のヨーク４１へ取り付けられる。コネクターはシャフト４６をゴルフ補助具４０へ接続することと、そして握り部分を提供することの二重の目的を有する。
【００８８】
図示したコネクターアセンブリは二つの部品、すなわちシャフトの一部とスリーブ部分４８を受入れるカラー部分、およびゴルフ補助具の垂直部分である。
【００８９】
図１７に示されている具体例に従えばピボット５０が練習用クラブのシャフト４６の下端に向って備えられる。練習用クラブのヘッド４７は、シャフト４６に短い部分がヘッド４７から延び、そしてシャフトの残りがピポット５０において取り付けられるようにシャフト４６の残部へ取り付けられる。
【００９０】
図示した練習用クラブのヘッドはクラブをスウィングする時空気抵抗を増す特徴を持っている。これは例えば図示されているように、ベントまたは開口５１を使用して達成できる。さらに重味をつけたヘッドはクラブをスウィングする時クラブに作用する遠心力を増加するであろう。
【００９１】
ヨーク４１は弾力性で、好ましい形はゴムまたは類似の弾力性材料から製作される。ヨーク４１は、ゴルフ補助具またはクラブの他の要素を受入れるために中空である。
【００９２】
図示した好ましい具体例のヨークは、部品を互いに取り付けるため前腕案内部分に設けられた突起５３を受け入れるため開口を各上方部分４３の上端に隣接して開口５２を含んでいる。通常長さの調節を許容するため突起４３の列が設けられる。
【００９３】
使用において、ヨーク４１は図２０に示した正しいアドレス位置にあるユーザーの両手首の間に配置されるであろう。
【００９４】
前腕案内部分の各自は支柱と呼ぶこともできる。支柱４４の各自はプラスチックか金属から通常製作されるであろう。比較的軽量とするため、チューブ構造が好ましい。
【００９５】
図示した具体例の前腕案内部分４４は長さが１０ｃｍと３０ｃｍの間である。この案内部分はヨーク４１の上方部分４３中の開口中にフィットする寸法にされる。
【００９６】
前腕案内部分４４の各自は、案内部分４４の全長を覆うクッション部材５４と組み合わされる。図示したクッション部材５４は、ユーザーの前腕と快適に接触するように全長にわたって断面が円弧形である。このクッション部材５４は前腕部分４４の端部を覆うように前腕案内部分４４よりも長い。
【００９７】
本発明のゴルフ補助具４０は、前腕案内部分４４の間に位置し、そして拡開した状態に付勢された弾力性離間アセンブリを含んでいる。これによってスウィングの間、ユーザーの前腕の間に最適な間隔を維持するため、付勢力に抗してユーザーの前腕が前腕案内部分４４に対して力を加える。
【００９８】
典型的には、前腕案内部分４４の間の最小角度αは弾力性離間アセンブリ４５によってセットされる。最大角度もセットすることができる。好ましい具体例によれば、前腕案内部分４４は、離間アセンブリ中の付勢ばね５５の使用によって最大の分離に付勢される。
【００９９】
図示した具体例においては、弾力性離間アセンブリ４５は四部品、すなわち本体５６、本体５６内に少なくとも部分的に入れ子式に受入れられたプランジャー５７、本体５６とプランジャー５０を延長した状態に付勢するばね５５、そして前腕案内部分４４の最小分離角度を調節するための調節ノブ５８を含んでいる。
【０１００】
弾力性離間アセンブリ４５は前腕案内部分４４の間を延びる。離間アセンブリ４５の本体５６は前腕案内部分４４の一方へ取り付けまたは固着だれ、プランジャー５７は前腕案内部分４４の他方へ取り付けまたは固着される。
【０１０１】
図１９に示されているように、付勢ばね５５は、本体５６に対して突張られ、そしてプランジャー５７が２つの部品を遠方へ付勢するため、少なくとも部分的に本体の中空部分に、そしてプランジャー５７の末端に隣接して受入れられる。
【０１０２】
ばね５５は本体５６内側に配置されたハウジング５９中に配置され、そして本体５６の外側ねじ部分６０に沿って外側に設けられたノブ５８の回転がハウジング５９をプランジャー５７へ向ってまたは反対に動かし、それによって前腕案内部分４４間の角度を変える。
【０１０３】
使用において、ユーザーは練習用であれ本物であれクラブを正しい握ったまま、アーム案内部分４４を右前腕および左前腕６１，６２の内側部分に対して配置する。これは図２１に示したように、ゴルフ補助具４０を前腕の間に、そしてヨーク４１を大体両手首の間に配置する。次にユーザーは図２１に示すようにゴルフボールにアドレスすることができる。通常テイクアウトとして知られるスウィングの開始まえにユーザーは典型的には彼らの前腕を弾力性離間アセンブリの付勢力に抗して一緒に絞るであろう。ユーザーはその後バックスウィングおよびダウンスウィングの間前腕案内部分に対する圧力を維持するようにこのゴルフ補助具を使用することができる。
【０１０４】
本発明のゴルフ補助具は、このゴルフ補助具のどの部品もスウィングの間ユーザーの手に係合したり触れないため、図２３に示されているように、ゴルフスウィングの間正しい手首の曲がりを許容するのに特に適している。
【０１０５】
本発明は構造的または方法的特徴に対して多かれ少なかれ特定的な用語で記載されたが、ここに記載された手段は本発明を実施するための好ましい形よりなるので、本発明は図示し、記載した特定の特徴に限定されないことを理解すべきである。それ故本発明は、当業者によって適切に解釈される特許請求の範囲内のどのような形または修飾形をも請求するものである。
【図１】
2012520689.tif 000003
【図２】
2012520689.tif 000004
【図３】
2012520689.tif 000005
【図４】
2012520689.tif 000006
【図５Ａ】
2012520689.tif 000007
【図５Ｂ】
2012520689.tif 000008
【図６】
2012520689.tif 000009
【図７】
2012520689.tif 000010
【図８】
2012520689.tif 000011
【図９】
2012520689.tif 000012
【図１０】
2012520689.tif 000013
【図１１】
2012520689.tif 000014
【図１２】
2012520689.tif 000015
【図１３Ａ】
2012520689.tif 000016
【図１３Ｂ】
2012520689.tif 000017
【図１３Ｃ】
2012520689.tif 000018
【図１４】
2012520689.tif 000019
【図１５】
2012520689.tif 000020
【図１６】
2012520689.tif 000021
【図１７】
2012520689.tif 000022
【図１８−１９】
2012520689.tif 000023
【図２０】
2012520689.tif 000024
【図２１】
2012520689.tif 000025
【図２２】
2012520689.tif 000026
【図２３】
2012520689.tif 000027
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
一対の分岐した上方部分を有するヨーク部分と、各自がヨークの分岐した上方部分の各自に付随する一対の前腕案内部分と、そして前腕案内部分を拡開した状態に付勢する付勢手段を含み、それによりユーザーの前腕の間の最適の間隔を維持するために付勢力に抗して前腕案内部分に対してユーザーの前腕が力を加え、そしてヨークに付随した練習用クラブを含み、練習用クラブはシャフトとヘッドを有し、ここでクラブはヨーク部分に対して自由に回動することから部分的に制限されているゴルフ補助具。
【請求項２】
練習用クラブのシャフトは通常のゴルフクラブの長さの約半分から３／４の間である請求項１のゴルフ補助具。
【請求項３】
ヘッドは可視指示手段を含んでいる請求項１または２のゴルフ補助具。
【請求項４】
練習用クラブのシャフトは練習用クラブの下端にピボットを含んでいる請求項１または２のゴルフ補助具。
【請求項５】
ヘッドから延びるシャフトの短い部分を備え、ピボットにおいてシャフトの残部へ取り付けられている請求項４のゴルフ補助具。
【請求項６】
練習用クラブのヘッドはクラブをスウィングする時空気抵抗を増す形状を持っている請求項１ないし５のいずれかのゴルフ補助具。
【請求項７】
各自がヨークの分岐した上方部分に付随した一対の細長前腕案内部分を含んでいる請求項１ないし６のいずれかのゴルフ補助具。
【請求項８】
圧縮に対する抵抗は調節可能である請求項１ないし７のいずれかのゴルフ補助具。
【請求項９】
付勢力はヨークを異なる材料および／または異なる厚みで置換することによって調節可能である請求項１ないし８のいずれかのゴルフ補助具。
【請求項１０】
コネクターアセンブリがヨークと練習用クラブとの間の取り外し自在の接続を許容する請求項１ないし９のいずれかのゴルフ補助具。
【請求項１１】
ヨーク部分は弾力性のＶ字形緊張ヨークであり、弾力性手段は弾力性Ｖ字形緊張ヨークの圧縮に対する抵抗度である請求項１ないし１０のいずれかのゴルフ補助具。
【請求項１２】
コネクターアセンブリはヨークと練習用クラブの間の取り外し自在の接続を提供するため磁気デバイスに付随した蝶番を備えている請求項１１のゴルフ補助具。
【請求項１３】
蝶番は緊張クリップによって解除自在に所定位置に保持され、緊張クリップはヨークの圧縮が、緊張クリップを動かして蝶番を解除し、そして磁気デバイスが蝶番のまわりで回転することを許容するように、前腕案内部分の一つに付随している請求項１２のゴルフ補助具。
【請求項１４】
ヨーク部分は垂直部分を有する可撓性のＶ字形ヨークであり、弾力性手段は弾力性離間アセンブリである請求項１ないし１３のいずれかのゴルフ補助具。
【請求項１５】
ヨークは弾力性であり、そして他の要素を受入れるため中空である請求項１４のゴルフ補助具。
【請求項１６】
前腕案内部分はヨークの分岐した上方部分中の開口に配置される請求項１５のゴルフ補助具。
【請求項１７】
ヨークの垂直部分は練習用クラブかまたは通常のゴルフクラブを受入れるのに適している請求項１４ないし１６のいずれかのゴルフ補助具。
【請求項１８】
前腕案内部分はヨークのそれぞれの上方部分中の開口内に干渉フィットする寸法である請求項１６のゴルフ補助具。
【請求項１９】
弾力性離間アセンブリは前腕案内部分を最大の分離に付勢するが、しかし付勢力に抗して圧縮可能である請求項１４ないし１８のいずれかのゴルフ補助具。
【請求項２０】
弾力性離間アセンブリは少なくとも四つの部品、すなわち本体と、本体内に少なくとも部分的に入れ子式に受入れられるプランジャーと、本体とプランジャーとを延びた状態に付勢する付勢手段と、そして弾力性離間アセンブリの有効長を調節するための調節手段を含んでいる請求項１４ないし１９のいずれかのゴルフ補助具。
【請求項２１】
離間アセンブリの本体は前腕案内部分の一方に取り付けまたは固着され、プランジャーは前腕案内部分の他方に取り付けまたは固着される請求項２０のゴルフ補助具。
【請求項２２】
付勢手段は本体の中空部分に少なくとも部分的に、そして本体またはその一部に抗して突張られ、二つの部品を離すように付勢するようにプランジャーに作用するためにプランジャーの末端に隣接して収容される請求項２０または２１のゴルフ補助具。
【請求項２３】
ばねは本体の内側に配置された中空ハウジング内に配置され、ハウジングに作動的に付随して外側に設けられたノブの回転がハウジングをプランジャーに向ってまたは反対に動かし、このため本体およびプランジャーの有効長を変える請求項２２のゴルフ補助具。
【請求項２４】
練習用クラブはゴルフボールにヒットするのに適応したヘッドを含んでいる請求項１ないし２３のいずれかのゴルフ補助具。
【請求項２５】
請求項１ないし２４の補助具と、ユーザーのスウィングの経路を目視的に追跡するためゴルフ補助具と共に使用される練習用マットを含んでいるゴルフ補助システム。
【請求項２６】
練習用マットはスウィングの経路を可視ガイドと比較できるように一以上の可視ガイドを含んでいる請求項２５のゴルフ補助システム。
【請求項２７】
少なくとも一つの可視ガイドの位置は練習用マットの上で調節可能である請求項２６のゴルフ補助システム。
【国際調査報告】
2012520689.tif 000028
2012520689.tif 000029
2012520689.tif 000030
2012520689.tif 000031